(57)【要約】【課題】高周波及び低周波の両帯域において十分なノイズキャンセル効果が得られるようにする。【解決手段】シールド導電路Ａは、導電路本体１０と、導電路本体１０と並行するように配索されたパラレルシールド線１４と、導電路本体１０の外周に沿って螺旋状に配索され、パラレルシールド線１４に対し交差した状態で接触するスパイラルシールド線１７とを備えている。パラレルシールド線１４は、低周波帯域において良好なノイズキャンセル効果を発揮する。また、スパイラルシールド線１７のノイズ電流は、パラレルシールド線１４を通ることによってアース側へ流れ易くなっているので、スパイラルシールド線１７は、高周波帯域において良好なノイズキャンセル効果を発揮する。【選択図】図１
2016225104.tif 000002
【特許請求の範囲】
【請求項１】
導電路本体と、
前記導電路本体と並行するように配索されたパラレルシールド線と、
前記導電路本体の外周に沿って螺旋状に配索され、前記パラレルシールド線に対し交差した状態で接触するスパイラルシールド線とを備えていることを特徴とするシールド導電路。
【請求項２】
前記スパイラルシールド線と前記パラレルシールド線を前記導電路本体の外周側へ押圧する筒状の締付部材を備えていることを特徴とする請求項１記載のシールド導電路。
【請求項３】
前記パラレルシールド線が、前記スパイラルシールド線に対し螺旋の内側と外側を交互に横切る経路で配索されていることを特徴とする請求項１又は請求項２記載のシールド導電路。
【請求項４】
前記パラレルシールド線が概ね波形をなすように湾曲した形状に成形されており、
前記スパイラルシールド線が、波の山部と谷部において前記パラレルシールド線と接触していることを特徴とする請求項３記載のシールド導電路。
【請求項５】
前記パラレルシールド線における前記スパイラルシールド線との接触部に、部分的に細くした小径部が形成されていることを特徴とする請求項１ないし請求項３のいずれか１項記載のシールド導電路。
【発明の詳細な説明】
【技術分野】
【０００１】
本発明は、シールド導電路に関するものである。
【背景技術】
【０００２】
特許文献１には、電線束を、金属層を有する第１帯状部材及び第２帯状部材で覆い、第１帯状部材と第２帯状部材の間にドレイン線を挟む構造のシールドケーブルが開示されている。この第１及び第２帯状部材の金属層とドレイン線は、電線束に対してシールド機能を発揮する。
【先行技術文献】
【特許文献】
【０００３】
【特許文献１】特許第５６８２５９７号公報
【発明の概要】
【発明が解決しようとする課題】
【０００４】
上記のシールドケーブルは、第１及び第２帯状部材の金属層が、電線束の外周に沿って螺旋巻きされ、ドレイン線も電線の外周に沿って螺旋巻きされている。しかし、金属層とドレイン線を螺旋巻きしたシールド手段では、低周波帯域におけるノイズキャンセル効果は期待できない。また、高周波帯域におけるノイズキャンセル効果に関しても、十分とは言えない。
【０００５】
本発明は上記のような事情に基づいて完成されたものであって、高周波及び低周波の両帯域において十分なノイズキャンセル効果が得られるようにすることを目的とする。
【課題を解決するための手段】
【０００６】
本発明のシールド導電路は、
導電路本体と、
前記導電路本体と並行するように配索されたパラレルシールド線と、
前記導電路本体の外周に沿って螺旋状に配索され、前記パラレルシールド線に対し交差した状態で接触するスパイラルシールド線とを備えているところに特徴を有する。
【発明の効果】
【０００７】
パラレルシールド線は、低周波帯域において良好なノイズキャンセル効果を発揮する。また、スパイラルシールド線のノイズ電流は、パラレルシールド線を通ることによってアース側へ流れ易くなっているので、スパイラルシールド線は、高周波帯域において良好なノイズキャンセル効果を発揮する。
【図面の簡単な説明】
【０００８】
【図１】実施例１のシールド導電路の一部切欠側面図
【図２】図１のＸ−Ｘ線断面図
【図３】実施例２のシールド導電路の一部切欠側面図
【発明を実施するための形態】
【０００９】
（ａ）本発明のシールド導電路は、前記スパイラルシールド線と前記パラレルシールド線を前記導電路本体の外周側へ押圧する筒状の締付部材を備えていてもよい。
この構成によれば、締付部材の押圧作用によって、スパイラルシールド線とパラレルシールド線を確実に接触させることができる。
【００１０】
（ｂ）本発明のシールド導電路は、前記パラレルシールド線が、前記スパイラルシールド線に対し螺旋の内側と外側を交互に横切る経路で配索されていてもよい。
この構成によれば、スパイラルシールド線とパラレルシールド線が導電路本体から径方向へ遠ざかるように変位することを抑制できる。
【００１１】
（ｃ）本発明のシールド導電路は、（ｂ）において、前記パラレルシールド線が概ね波形をなすように湾曲した形状に成形されており、前記スパイラルシールド線が、波の山部と谷部において前記パラレルシールド線と接触していてもよい。
この構成によれば、スパイラルシールド線がパラレルシールド線の波の山部と谷部に嵌合することによって位置決めされるので、スパイラルシールド線の螺旋ピッチが安定する。
【００１２】
（ｄ）本発明のシールド導電路は、前記パラレルシールド線における前記スパイラルシールド線との接触部に、部分的に細くした小径部が形成されていてもよい。
この構成によれば、スパイラルシールド線は小径部に嵌合することによって位置決めされるので、スパイラルシールド線の螺旋ピッチが安定する。
【００１３】
＜実施例１＞
以下、本発明を具体化した実施例１を図１〜図２を参照して説明する。本実施例１のシールド導電路Ａは、導電路本体１０と、導電路本体１０を包囲することでシールド機能を発揮するシールド部材１３と、シールド部材１３を包囲する締付部材１８とを備えて構成されている。
【００１４】
導電路本体１０は、円形断面の導体１１を円筒形の絶縁被覆１２で包囲した１本の被覆電線によって構成されている。導体１１を流れる電流のノイズはシールド部材１３によってキャンセルされるようになっている。締付部材１８は、加熱されることにより縮径変形する筒状の熱収縮チューブ、粘着テープを螺旋状に巻き付けたもの等によって構成されている。締付部材１８は、シールド部材１３を導電路本体１０の外周に密着させるように径方向内側へ押圧するとともに、後述するシールド部材１３を構成するパラレルシールド線１４とスパイラルシールド線１７とを密着させる機能を有する。
【００１５】
シールド部材１３は、４本のパラレルシールド線１４と、１本のスパイラルシールド線１７とから構成されている。４本のパラレルシールド線１４は、いずれも円形断面の金属製の線材からなり、４本のパラレルシールド線１４の外径は、全て同一の寸法である。４本のパラレルシールド線１４は、導電路本体１０の外周に沿うように、且つ導電路本体１０の軸線とほぼ平行をなすように配索されている。また、４本のパラレルシールド線１４は、周方向においてほぼ９０°の均一ピッチで配されている。４本のパラレルシールド線１４の両端部は、端子金具やシールドケース等のアース部材（図示省略）を介して接地されている。
【００１６】
導電路本体１０に沿って配索する前のパラレルシールド線１４は、まず直線状に成形され、その後、一定波長の略波形をなすようにプレス成形されている。このプレス成形により、パラレルシールド線１４には、長さ方向において複数の山部１５と谷部１６が交互に且つ一定ピッチで並ぶように形成されている。４本のパラレルシールド線１４の波の波長は、全て、同一である。各パラレルシールド線１４は、その山部１５を導電路本体１０の外周に対して離間させるとともに、谷部１６を導電路本体１０の外周に接触させるように配索されている。そして、導電路本体１０の軸線方向において、４本のパラレルシールド線１４の波の位相（山部１５と谷部１６の位置）は、１／４波長単位で互いにずれている。
【００１７】
スパイラルシールド線１７は、円形断面の金属製の線材からなる。スパイラルシールド線１７の外径はパラレルシールド線１４の外径と同一寸法である。スパイラルシールド線１７は、導電路本体１０の外周に一定ピッチの螺旋状に巻き付けられている。スパイラルシールド線１７の両端部は、パラレルシールド線１４と同様、図示しないアース部材を介して接地されている。
【００１８】
上記のようにパラレルシールド線１４が導電路本体１０と並行するように配索されているのに対し、スパイラルシールド線１７は導電路本体１０を螺旋状に包囲するように配索されている。そして、スパイラルシールド線１７は、パラレルシールド線１４に対し、その波の山部１５及び谷部１６において交差するように接触している。各パラレルシールド線１４は、夫々、スパイラルシールド線１７に対しその螺旋の内側と外側を交互に横切っている。
【００１９】
即ち、パラレルシールド線１４の山部１５は、螺旋の外側においてパラレルシールド線１４に対し交差するように接触する。つまり、パラレルシールド線１４の山部１５は、締付部材１８の締付け作用により、導電路本体１０の外周との間でスパイラルシールド線１７を挟み付けている。また、パラレルシールド線１４の谷部１６は、螺旋の内側においてパラレルシールド線１４に対し交差するように接触する。つまり、パラレルシールド線１４の谷部１６は、締付部材１８の締付け作用により、スパイラルシールド線１７と導電路本体１０との間で挟み付けられている。そして、締付部材１８の締付け作用により、パラレルシールド線１４とスパイラルシールド線１７が、導通可能に接続されている。
【００２０】
パラレルシールド線１４は、導電路本体１０の軸線に沿うように配索されているので、導電路本体１０に重畳する低周波帯域のノイズをキャンセルする。パラレルシールド線１４のノイズ電流はアースに落とされる。また、スパイラルシールド線１７は、導電路本体１０の外周に沿って螺旋状に配索されているので、導電路本体１０に重畳する高周波のノイズをキャンセルする。
【００２１】
スパイラルシールド線１７のノイズ電流も、パラレルシールド線１４と同様、アースされるのであるが、スパイラルシールド線１７は、コイル状をなしていてインダクタンスが高い。そのため、ノイズ電流の流れが不良となり、高周波帯域におけるノイズキャンセル効果の低下が懸念される。しかし、本実施例１では、パラレルシールド線１４が、スパイラルシールド線１７に対し複数箇所で導通可能に接触しているので、スパイラルシールド線１７のノイズ電流が、パラレルシールド線１４を通ってアースされる。これにより、高周波帯域においても良好なノイズキャンセル効果が得られる。
【００２２】
上述のように本実施例１のシールド導電路Ａは、導電路本体１０と、導電路本体１０と並行するように配索されたパラレルシールド線１４と、導電路本体１０の外周に沿って螺旋状に配索されたスパイラルシールド線１７とを備える。そして、スパイラルシールド線１７は、パラレルシールド線１４に対し交差した状態で接触する。かかる構成のシールド導電路Ａによれば、パラレルシールド線１４が、低周波帯域において良好なノイズキャンセル効果を発揮する。
【００２３】
また、スパイラルシールド線１７のノイズ電流は、パラレルシールド線１４を通ることによってアース側へ流れ易くなっている。つまり、パラレルシールド線１４は、ドレイン線としての機能を兼ね備えている。このパラレルシールド線１４によるドレイン機能により、スパイラルシールド線１７は、高周波帯域において良好なノイズキャンセル効果を発揮することができる。したがって、本実施例１のシールド導電路Ａによれば、低周波と高周波の両帯域において十分なノイズキャンセル効果が得られる。
【００２４】
また、シールド導電路Ａは、スパイラルシールド線１７とパラレルシールド線１４を、導電路本体１０の外周側へ向けて径方向内向きに押圧する筒状の締付部材１８を備えている。この構成によれば、締付部材１８の押圧作用によって、スパイラルシールド線１７とパラレルシールド線１４を確実に接触させることができる。パラレルシールド線１４とスパイラルシールド線１７が接触する領域は、締付部材１８による押圧作用によって両シールド線１４，１７が強く密着した状態となっている。したがって、筒状をなす締付部材１８（熱収縮チューブ）の内部に水等の液体が入り込んだとしても、その液体がパラレルシールド線１４とスパイラルシールド線１７の接触領域に潜り込むことがなく、パラレルシールド線１４とスパイラルシールド線１７は、確実に接触した状態に保たれる。
【００２５】
また、パラレルシールド線１４が、スパイラルシールド線１７に対し螺旋の内側と外側を交互に横切る経路で配索されている。この構成によれば、スパイラルシールド線１７とパラレルシールド線１４が導電路本体１０から径方向へ遠ざかるように変位することを抑制できる。
【００２６】
また、パラレルシールド線１４が概ね波形をなすように湾曲した形状に成形されており、スパイラルシールド線１７が、波の山部１５と谷部１６においてパラレルシールド線１４と接触している。この構成によれば、スパイラルシールド線１７がパラレルシールド線１４の波の山部１５と谷部１６に嵌合することによって位置決めされるので、スパイラルシールド線１７の螺旋ピッチが一定となるように安定する。
【００２７】
また、パラレルシールド線１４とスパイラルシールド線１７との接触領域では、山部１５と谷部１６が、スパイラルシールド線１７の外周面に沿うように湾曲変形するので、スパイラルシールド線１７の外周面に対し線接触する。したがって、点接触する場合に比べると、パラレルシールド線１４とスパイラルシールド線１７の接触面積が広く確保されている。これにより、スパイラルシールド線１７のノイズ電流がパラレルシールド線１４へ流れ易なっている。
【００２８】
＜実施例２＞
次に、本発明を具体化した実施例２について図３を参照して説明する。本実施例２のシールド導電路Ｂは、導電路本体１０と、シールド部材２０と、締付部材１８とを備えて構成されている。導電路本体１０と、シールド部材２０を構成するスパイラルシールド線１７と、締付部材１８は、いずれも実施例１と同じ部品であり、作用効果も実施例１と同じであるから、実施例１と同じ符号を付し、詳しい説明は省略する。
【００２９】
シールド部材２０は、上記のスパイラルシールド線１７と４本のパラレルシールド線２１とから構成されている。４本のパラレルシールド線２１は、いずれも円形断面の金属製の線材からなる。４本のパラレルシールド線２１の材料となる線材の外径は、全て同一の寸法である。４本のパラレルシールド線２１は、導電路本体１０の外周に沿うように、且つ導電路本体１０の軸線とほぼ平行をなすように配索されている。また、４本のパラレルシールド線２１は、周方向においてほぼ９０°の均一ピッチで配されている。４本のパラレルシールド線２１の両端部は、端子金具やシールドケース等のアース部材（図示省略）を介して接地されている。
【００３０】
本実施例２のパラレルシールド線２１は、実施例１のものと異なっている。上記実施例１のシールド導電路Ａでは、パラレルシールド線１４を波形に成形し、波の山部１５と谷部１６にスパイラルシールド線１７を嵌合接触させることで、スパイラルシールド線１７の螺旋のピッチを安定させていた。これに対し、本実施例２のシールド導電路Ｂでは、パラレルシールド線２１におけるスパイラルシールド線１７との接触領域に、部分的に同心円形断面状に細くした複数の小径部２２を形成している。
【００３１】
複数の小径部２２は、導電路本体１０及びパラレルシールド線２１の長さ方向において一定ピッチで並ぶように形成されている。４本のパラレルシールド線２１における小径部２２の配列ピッチは、全て、同一である。そして、導電路本体１０の軸線方向において、４本のパラレルシールド線２１の小径部２２の位置は、小径部２２の配列ピッチの１／４の単位で互いにずれている。
【００３２】
上記のようにパラレルシールド線２１が導電路本体１０と並行するように配索されているのに対し、スパイラルシールド線１７は導電路本体１０を螺旋状に包囲するように配索されている。そして、スパイラルシールド線１７は、パラレルシールド線２１に対し複数の小径部２２において交差するように接触している。各パラレルシールド線２１は、夫々、スパイラルシールド線１７に対しその螺旋の内側と外側を交互に横切っている。そして、パラレルシールド線２１とスパイラルシールド線１７は、締付部材１８の締付け作用により、確実に接続される。スパイラルシールド線１７は小径部２２に嵌合することによって位置決めされるので、スパイラルシールド線１７の螺旋ピッチが安定する。
【００３３】
また、小径部２２とスパイラルシールド線１７との接触領域では、小径部２２が、スパイラルシールド線１７の外周面に沿うように湾曲変形するので、スパイラルシールド線１７の外周面に対し線接触する。したがって、点接触する場合に比べると、パラレルシールド線２１とスパイラルシールド線１７の接触面積が広く確保されている。これにより、スパイラルシールド線１７のノイズ電流がパラレルシールド線２１へ流れ易くなっている。
【００３４】
＜他の実施例＞
本発明は上記記述及び図面によって説明した実施例に限定されるものではなく、例えば次のような実施例も本発明の技術的範囲に含まれる。
（１）スパイラルシールド線を位置決めする手段として、実施例１ではパラレルシールド線を波形に成形し、実施例２ではパラレルシールド線におけるスパイラルシールド線との接触部に小径部を形成したが、これに限らず、パラレルシールド線におけるスパイラルシールド線との接触部の外周に、周方向における一部のみを切欠した形態の凹部を形成してもよい。
（２）上記実施例１では、パラレルシールド線を波形に成形したが、パラレルシールド線は、軸線が直線状をなすように成形されていてもよい。
（３）上記実施例１，２では、１本のパラレルシールド線が、スパイラルシールド線に対し螺旋の内側と外側を交互に横切る経路で配索されているが、パラレルシールド線は、スパイラルシールド線の螺旋の外側のみを横切る経路で配索されていてもよく、これとは逆に、スパイラルシールド線の螺旋の内側のみを横切る経路で配索されていてもよい。また、複数本のパラレルシールド線が配索される場合は、スパイラルシールド線の螺旋の外側のみを横切るパラレルシールド線と、スパイラルシールド線の螺旋の内側のみを横切るパラレルシールド線とを混在させてもよい。
（４）上記実施例１，２では、スパイラルシールド線を１本としたが、複数本のスパイラルシールド線を設けてもよい。
（５）上記実施例１，２では、１本の導電路本体にスパイラルシールド線を螺旋巻きしたが、これに限らず、複数本の導電路本体を束ねたワイヤーハーネスに、スパイラルシールド線を螺旋巻きしてもよい。
（６）上記実施例１，２では、４本のパラレルシールド線を設けたが、パラレルシールド線の数は３本以下でも、５本以上でもよい。
（７）上記実施例１，２では、４本のパラレルシールド線は、外径寸法を全て同一に揃えたものであるが、４本のパラレルシールド線は、外径が互いに異なるものであってもよい。
（８）上記実施例１では、パラレルシールド線とスパイラルシールド線の外径を同じ寸法としたが、パラレルシールド線とスパイラルシールド線は外径が互いに異なるものであってもよい。
（９）上記実施例２では、パラレルシールド線の最大外径とスパイラルシールド線の外径を同じ寸法としたが、パラレルシールド線の最大外径とスパイラルシールド線の外径は互いに異なっていてもよい。
【符号の説明】
【００３５】
Ａ，Ｂ…シールド導電路
１０…導電路本体
１４…パラレルシールド線
１５…山部
１６…谷部
１７…スパイラルシールド線
１８…締付部材
２１…パラレルシールド線
２２…小径部
【図１】
2016225104.tif 000003
【図２】
2016225104.tif 000004
【図３】
2016225104.tif 000005